(57)【要約】  【課題】  持ちやすく、飲みやすく、手が飲料の温度の影響を受けにくく、収納しやすい飲料容器用ホルダーを提供する。  【解決手段】  本発明は、飲料入りの飲料容器１０を保持して飲料を飲む際に使用する飲料容器用ホルダー１であって、取っ手２と、取っ手２と固定され、飲料容器１０の高さ方向の複数位置において飲料容器１０の外側面を保持する側壁とを備え、側壁に、ホルダー１に保持された飲料容器１０の中心軸Ｃから取っ手２の方向とは異なる方向に配置される１若しくは２以上の第一側壁４，５と、飲料容器１０を挟んで第一側壁４，５と対向する側にあって、保持された状態の飲料容器１０の高さ方向において第一側壁４，５と重ならない高さに配置される１若しくは２以上の第二側壁７と、を備える飲料容器用ホルダー１に関する。【選択図】図１
2014181040.tif 000002
【特許請求の範囲】
【請求項１】
飲料入りの飲料容器を保持して飲料を飲む際に使用する飲料容器用ホルダーであって、
取っ手と、
上記取っ手と固定され、上記飲料容器の高さ方向の複数位置において上記飲料容器の外側面を保持する側壁と、
を備え、
上記側壁に、
ホルダーに保持された上記飲料容器の中心軸から上記取っ手の方向とは異なる方向に配置される１若しくは２以上の第一側壁と、
上記飲料容器を挟んで上記第一側壁と対向する側にあって、保持された状態の上記飲料容器の高さ方向において上記第一側壁と重ならない高さに配置される１若しくは２以上の第二側壁と、
を備える飲料容器用ホルダー。
【請求項２】
前記第一側壁および前記第二側壁は、前記飲料容器の外側面の周方向に沿って１８０度若しくはそれ以下の角度の中心角を持つ弧状に形成されていることを特徴とする請求項１に記載の飲料容器用ホルダー。
【請求項３】
前記第一側壁および／または前記第二側壁は、前記保持された状態の前記飲料容器の前記中心軸から径方向外側に向かって幅を狭める形状であることを特徴とする請求項１または請求項２に記載の飲料容器用ホルダー。
【請求項４】
前記飲料容器の底部を載せる載置部をさらに備えることを特徴とする請求項１から請求項３のいずれか１項に記載の飲料容器用ホルダー。
【請求項５】
少なくとも前記第一側壁および第二側壁を透明材料にて形成したことを特徴とする請求項１から請求項４のいずれか１項に記載の飲料容器用ホルダー。
【発明の詳細な説明】
【技術分野】
【０００１】
本発明は、缶あるいはビンなどに飲料を封入した飲料容器を保持して飲料を飲む際に使用する飲料容器用ホルダーに関する。
【背景技術】
【０００２】
一般的に、市販の飲料は、缶、ガラスビン、ペットボトル等の容器に封入されて販売されている。大型の容器に封入された飲料を飲む場合には、容器からグラス、カップ等に注いでから飲むことが多いが、小型の容器に封入された飲料を飲む場合には、直接、容器に口を付けて飲むことが多い。後者の場合、消費者は、直接、容器を手に取って飲むと、容器と手との間で熱交換が生じるため、冷たい飲料を飲む場合には、手が冷たくなり、飲料が温まりやすくなる。一方、温かい飲料を飲む場合には、手が熱くなり、飲料が冷えやすくなる。このような熱交換を避け、かつ飲料を飲みやすくするには、飲料容器を保持するホルダーを用いて、ホルダーを手に取り、飲料を飲むのが好ましい。
【０００３】
図８〜１０は、従来から知られる飲料容器を保持可能なホルダーを示す。図８に示すホルダー５０は、当該ホルダー５０の底部５１から開口上部５２に向かって拡径するいわゆる漏斗形状のホルダーである。図９に示すホルダー６０は、当該ホルダー６０の底部６１から開口上部６２に向かって略同一径の円筒形状のホルダーである。図１０に示すホルダー７０は、図８に示すホルダー５０と同じ形状の底部７１と開口上部７２とを有し、外側面に取っ手７３を有するホルダーである。ホルダー７０は、取っ手７３を有するため、他のホルダー５０，６０に比べて持ちやすく、しかも手が飲料容器の温度の影響を受けにくいという利点を有する。また、缶ビールなどを飲む場合には、ジョッキ感覚で飲むことができるという利点もある。このような取っ手７３を有するホルダーは、例えば、特許文献１および２に開示されている。
【先行技術文献】
【特許文献】
【０００４】
【特許文献１】特開２０１３−３９９７１号公報
【特許文献２】特開平０６−２９６５４３号公報
【発明の概要】
【発明が解決しようとする課題】
【０００５】
しかし、上記従来から公知のホルダー５０，６０，７０には、次のような問題がある。ホルダー５０は、開口上部５２から底部５１に向かって窄まっているので、図８（Ｂ）に示すように、複数個のホルダー５０を積み重ねることができ、収納しやすいという利点がある一方で、缶ビールのような円筒形の飲料容器５３を入れると、図８（Ａ）に示すように、開口上部５２の内壁側に隙間Ｗが生じ、その結果、ホルダー５０を傾けて飲料を飲む際に、飲料容器５３がホルダー５０内で動き、飲みにくいという欠点がある。ホルダー６０は、図９（Ａ）に示すように、飲料容器５３に対して隙間を生じない大きさのものを選択すれば、ホルダー５０のような飲みにくさは無い。しかし、図９（Ｂ）に示すように、複数個のホルダー６０を積み重ねることができないので、収納に場所をとるという問題がある。また、ホルダー７０は、取っ手７３を有する点で、ホルダー５０，６０よりも持ちやすく、手が飲料の温度の影響を受けにくい点で優れるものの、飲料容器がホルダー７０内部で動きやすく、かつ積み重ねて収納することも困難であるという問題がある。
【０００６】
本発明は、上記の問題を解決するためになされたものであり、持ちやすく、飲みやすく、手が飲料の温度の影響を受けにくく、収納しやすい飲料容器用ホルダーを提供することを目的とする。
【課題を解決するための手段】
【０００７】
上記目的を達成するための一実施の形態に係る飲料容器用ホルダーは、飲料入りの飲料容器を保持して飲料を飲む際に使用するホルダーであって、取っ手と、取っ手と固定され、飲料容器の高さ方向の複数位置において飲料容器の外側面を保持する側壁とを備え、側壁に、ホルダーに保持された飲料容器の中心軸から取っ手の方向とは異なる方向に配置される１若しくは２以上の第一側壁と、飲料容器を挟んで第一側壁と対向する側にあって、保持された状態の飲料容器の高さ方向において第一側壁と重ならない高さに配置される１若しくは２以上の第二側壁とを備える。
【０００８】
別の実施の形態に係る飲料容器用ホルダーは、さらに、第一側壁および第二側壁を、飲料容器の外側面の周方向に沿って１８０度若しくはそれ以下の角度の中心角を持つ弧状に形成する。
【０００９】
別の実施の形態に係る飲料容器用ホルダーは、また、第一側壁および／または第二側壁を、保持された状態の飲料容器の中心軸から径方向外側に向かって幅を狭める形状で構成する。
【００１０】
別の実施の形態に係る飲料容器用ホルダーは、飲料容器の底部を載せる載置部をさらに備える。
【００１１】
別の実施の形態に係る飲料容器用ホルダーは、また、少なくとも第一側壁および第二側壁を透明材料にて形成する。
【発明の効果】
【００１２】
本発明によれば、持ちやすく、飲みやすく、手が飲料の温度の影響を受けにくく、収納しやすい飲料容器用ホルダーを提供することができる。
【図面の簡単な説明】
【００１３】
【図１】図１は、本発明の実施形態に係る飲料容器用ホルダーの斜視図（Ａ，Ｂ）を示す。
【図２】図２は、図１の飲料容器用ホルダーに飲料容器を保持した状態の斜視図を示す。
【図３】図３は、図１の飲料容器用ホルダーの側面図、平面図および底面図をそれぞれ示す。
【図４】図４は、図１の飲料容器用ホルダーを複数個重ねて収納する様子の斜視図を示す。
【図５】図５は、図４と同じ様子を取っ手の方向から見た側面図を示す。
【図６】図６は、図１に示す飲料容器用ホルダーの製造方法を説明する図であって、成形用の金型を型締めした状態の断面図（Ａ）および当該型締めした金型を開いて成形体を取り出す状況の断面図（Ｂ）を示す。
【図７】図７は、図１の飲料容器用ホルダーと異なる形態を持つ変形例を示す。
【図８】図８は、従来から知られるホルダーであって飲料容器を保持可能な開口部を拡径した形状のホルダーに飲料容器を保持した状態の斜視図（Ａ）および複数個のホルダーを上下方向に重ねた状態の斜視図（Ｂ）を示す。
【図９】図９は、従来から知られるホルダーであって飲料容器を保持可能な略円筒形状のホルダーに飲料容器を保持した状態の斜視図（Ａ）および複数個のホルダーを上下方向に重ねようとする状況の斜視図（Ｂ）を示す。
【図１０】図１０は、従来から知られるホルダーであって飲料容器を保持可能な開口部を拡径した形状で、かつ取っ手を有するホルダーを上下方向に複数個重ねようとする状況の斜視図を示す。
【発明を実施するための形態】
【００１４】
以下、本発明に係る飲料容器用ホルダーの実施形態について、図面を参照しながら説明する。
【００１５】
図１は、本発明の実施形態に係る飲料容器用ホルダーの斜視図（Ａ，Ｂ）を示す。図２は、図１の飲料容器用ホルダーに飲料容器を保持した状態の斜視図を示す。図３は、図１の飲料容器用ホルダーの側面図、平面図および底面図をそれぞれ示す。
【００１６】
この実施形態に係る飲料容器用ホルダー１は、飲料入りの飲料容器１０（図２中の１点鎖線で示す）を保持して飲料を飲む際に使用するホルダーである。飲料容器用ホルダー１は、飲料容器１０の高さ方向に離れた複数の位置で固定される取っ手２と、保持される飲料容器１０を挟んで取っ手２と反対側に配置されていて飲料容器１０の高さ方向に細長い接続板３と、取っ手２および接続板３と固定されていて飲料容器１０の高さ方向の３箇所の位置において飲料容器１０の外側面を保持する上方第一側壁４、下方第一側壁５および第二側壁７を備える。接続板３、上方第一側壁４、下方第一側壁５および第二側壁７は、共に、飲料容器１０の外側面を保持する側壁を構成する。
【００１７】
上方第一側壁４は、飲料容器用ホルダー１に保持された飲料容器１０の中心軸Ｃ（図２中の２点鎖線で示す）から取っ手２の方向とは異なる方向に配置される第一側壁の一つである。下方第一側壁５も、上方第一側壁４と同様、飲料容器用ホルダー１に保持された飲料容器１０の中心軸Ｃから取っ手２の方向とは異なる方向に配置される第一側壁の一つである。下方第一側壁５は、上方第一側壁４と間に飲料容器１０の高さ方向に空間６を空けて、上方第一側壁４と同じ側の下方に配置されている。第二側壁７は、上方第一側壁４および下方第一側壁５と、飲料容器１０を挟んで対向する側にあって、保持された状態の飲料容器１０の高さ方向において上方第一側壁４および下方第一側壁５と重ならない高さに配置されている。すなわち、第二側壁７は、飲料容器１０を挟んで、空間６と向かい合っている。上方第一側壁４および下方第一側壁５も、飲料容器１０を挟んで同じ高さにおいて、第二側壁７とは向かい合っていない。このように、第一側壁４，５と第二側壁７とは、図３に示すように、飲料容器用ホルダー１の側面から見たときに、飲料容器１０の高さ方向において互いに重ならないように互いに違いに配置されている。
【００１８】
上方第一側壁４は、取っ手２と接続板３とを繋ぐ第一側壁であって、弧状の薄厚な帯形状の部材である。上方第一側壁４は、取っ手２の方向から見たときに飲料容器１０の径方向外側に向かって細く窄まる略台形の形状を有している。上方第一側壁４は、好適には、上辺と下辺の両辺を水平方向に対して傾斜させた形状を有する。上方第一側壁４の接続板３（および取っ手２）と接続される一端の幅ｄ１は、上方第一側壁４の最も径方向外側の部位の幅ｄ２より幅広である。第二側壁７は、取っ手２と接続板３とを繋ぐ側壁の一つであって、弧状の薄厚な帯形状の部材である。第二側壁７は、取っ手２の方向から見たときに飲料容器１０の径方向外側に向かって細く窄まる略台形の形状を有している。第二側壁７は、好適には、上辺と下辺の両辺を水平方向に対して傾斜させた形状を有する。第二側壁７の接続板３（および取っ手２）と接続される一端の幅ｄ３は、第二側壁７の最も径方向外側の部位の幅ｄ４より幅広である。下方第一側壁５は、上方第一側壁４と同様、取っ手２と接続板３とを繋ぐ第一側壁であって、弧状の薄厚な帯形状の部材である。下方第一側壁５は、取っ手２の方向から見たときに飲料容器１０の径方向外側に向かって細く窄まる略台形の形状を有している。ただし、下方第一側壁５は、好適には、上辺のみを水平方向に対して傾斜させた形状を有する。下方第一側壁５の接続板３（および取っ手２）と接続される一端の幅ｄ５は、下方第一側壁５の最も径方向外側の部位の幅ｄ６より幅広である。
【００１９】
上方第一側壁４および下方第一側壁５は、ともに、平面視にて、中心軸Ｃを中心とする円の一部を構成する弧状に形成されている。図３に示すように、取っ手２および接続板３の各幅を考慮して、上方第一側壁４および下方第一側壁５は、好適には、平面視にて、１８０度より小さな角度α１の中心角を持つ弧状に形成されている。第二側壁７は、上方第一側壁４および下方第一側壁５と同様、平面視にて、中心軸Ｃを中心とする円の一部を構成する弧状に形成されている。図３に示すように、取っ手２および接続板３の各幅を考慮して、第二側壁７は、好適には、平面視にて、１８０度より小さな角度α２の中心角を持つ弧状に形成されている。この実施形態では、平面視にて、α１＝α２とし、上方第一側壁４（若しくは下方第一側壁５）の内面と、第二側壁７の内面によって真円を形成するように、上方第一側壁４（若しくは下方第一側壁５）と第二側壁７の各曲率を設計している。これによって、飲料容器１０が円筒形である場合に、飲料容器用ホルダー１の側壁で囲まれた領域を略円筒形状にすることができ、飲料容器１０の外側面と、上方第一側壁４、下方第一側壁５および第二側壁７の各内面とを密着若しくは密着に近い状態で、飲料容器用ホルダー１に飲料容器１０を保持できる。ただし、飲料容器１０が必ずしも円筒形とは限らないので、上方第一側壁４（若しくは下方第一側壁５）の内面と、第二側壁７の内面によって真円を形成するように上方第一側壁４（若しくは下方第一側壁５）と第二側壁７の各曲率を設計しなくても良い。また、平面視にて真円を有する領域を形成する場合であっても、α１とα２とを異なる角度としても良い。
【００２０】
飲料容器用ホルダー１は、好適には、飲料容器１０を載せるための載置部８を備える。この実施形態では、載置部８は、第一側壁４，５と第二側壁７とに囲まれる領域に重なる円板であるが、円板以外の形状、例えば１または２以上の棒形状であっても良い。また、第一側壁４，５および第二側壁７などの他の部位によって飲料容器１０を十分に保持できるならば、載置部８を必ずしも設けなくても良い。また、この実施形態では、取っ手２の側面に溝９を設け、飲料容器用ホルダー１の軽量化および材料の節約を図っているが、溝９を取っ手２に設けなくても良い。
【００２１】
飲料容器用ホルダー１は、樹脂、ガラス、金属、セラミックス、木材あるいはそれらの複合体などの如何なる材料で構成されていても良い。飲料容器１０を保持した状態で、飲料容器１０の外側面を外から視認可能なように、少なくとも第一側壁４，５と第二側壁７、より好ましくは飲料容器用ホルダー１全体を、透明材料にて構成する方が好ましい。また、飲料容器用ホルダー１は、軽量化および製造しやすさを考慮すると、熱硬化性樹脂、熱可塑性樹脂、紫外線硬化性樹脂、電子線硬化性樹脂などの樹脂から構成されるのが好ましく、さらに透明化を図るべく、ポリスチレン、ポリカーボネート、ＰＭＭＡなどの透明性の高い樹脂にて構成されるのがさらに好ましい。また、樹脂製の飲料容器用ホルダー１を製造する場合、飲料容器用ホルダー１を構成する部材を個々に用意してそれらを接着する方法を用いる他、飲料容器用ホルダー１を一体成形する方法を用いるのがより好ましい。当該一体成形の方法については、後述する。
【００２２】
図４は、図１の飲料容器用ホルダーを複数個重ねて収納する様子の斜視図を示す。図５は、図４と同じ様子を取っ手の方向から見た側面図を示す。
【００２３】
この実施形態にかかる飲料容器用ホルダー１は、取っ手２と接続板３とを結ぶラインから左右それぞれに、飲料容器１０の高さ方向において互いに重ならないように、第一側壁４，５と第二側壁７を上記高さ方向に互いに違いに配置している。このため、飲料容器用ホルダー１を横方向（側面方向）に重ねて収納することが可能になる。すなわち、１つの飲料容器用ホルダー１の第二側壁７を別の飲料容器用ホルダー１の空間６に向けて挿入できると共に、当該別の飲料容器用ホルダー１の第一側壁４，５を当該１つの飲料容器用ホルダー１の第二側壁７の上方の空間および下方の空間に向けてそれぞれ挿入できる。このため、複数個の飲料容器用ホルダー１を、それらの取っ手２を隣接させた形態にて重ねて収納可能である。その際、載置部８同士が接触しないように、上下方向に重ねることができる。ただし、載置部８が非常に小さい場合には、載置部８同士が平面的に隣り合う状態でも複数個の飲料容器用ホルダー１を側面方向で重ねることが可能である。
【００２４】
前述のように、上方第一側壁４、下方第一側壁５および第二側壁７は、ともに、取っ手２の方向から見たときに飲料容器１０の径方向外側に向かって細く窄まる略台形の形状を有している。具体的には、この実施形態では、図５に示すように、上方第一側壁４は、取っ手２の方向から見たときに、水平方向に対して鋭角βで下方傾斜する上辺と、水平方向に対して鋭角γで上方傾斜する下辺とを有する。また、下方第一側壁５は、取っ手２の方向から見たときに、水平方向に対して鋭角θで下方傾斜する上辺と、略水平の下辺とを有する。また、第二側壁７は、取っ手２の方向から見たときに、水平方向に対して鋭角δで下方傾斜する上辺と、水平方向に対して鋭角σで上方傾斜する下辺とを有する。さらに、好適には、γ＝δ、かつθ＝σとすることにより、１つの飲料容器用ホルダー１の第二側壁７を、別の飲料容器用ホルダー１の上方第一側壁４および下方第一側壁５に当接せずに空間６内に深く入れることができる。第二側壁７を取っ手２側から見たときの台形形状を、取っ手２側から見たときの空間６の台形形状とほぼ等しい形状にすることで、複数個の飲料容器用ホルダー１の取っ手２同士を隣り合わせる形態で重ねることができる。なお、そのような重ね合わせを実現するために、上方第一側壁４、下方第一側壁５および第二側壁７は、取っ手２側から見て必ずしも台形の形状にする必要は無く、後述するように、取っ手２側から見て長方形若しくは正方形にしても良いが、次に述べるような一体成形にて飲料容器用ホルダー１を製造容易にする観点から、上方第一側壁４、下方第一側壁５および第二側壁７を、取っ手２側から見て飲料容器１０の径方向外側に向かって細く窄まる台形の形状にするのが好ましい。
【００２５】
図６は、図１に示す飲料容器用ホルダーの製造方法を説明する図であって、成形用の金型を型締めした状態の断面図（Ａ）および当該型締めした金型を開いて成形体を取り出す状況の断面図（Ｂ）を示す。
【００２６】
図６に示す金型２０は、上金型２１と下金型２２とを備え、２つの金型２１，２２を互いに型締めして成形する金型である。図６（Ａ）に示す金型２０の断面図は、図６（Ａ）の飲料容器用ホルダー１の斜視図に示す仮想上の切断面Ｆにて切断したときの断面を示す。取っ手２は、図６に示す断面において、紙面の表方向に位置する。図６（Ａ）に示すように、飲料容器用ホルダー１は、切断面Ｆによって、ラインＬ１、ラインＬ２およびラインＬ３によって切断される。
【００２７】
図６（Ｂ）に示すように、上金型２１は、下金型２２に対向する面側に、凸部２１ａ、凹部２１ｂ、凸部２１ｃ、凹部２１ｄおよび凸部２１ｅを備える。下金型２２は、上金型２１に対向する面側に、凹部２２ａ、凸部２２ｂ、凹部２２ｃ、凸部２２ｄおよび凹部２２ｅを備える。凸部２１ａと凹部２２ａ、凹部２１ｂと凸部２２ｂ、凸部２１ｃと凹部２２ｃ、凹部２１ｄと凸部２２ｄ、凸部２１ｅと凹部２２ｅは、それぞれ一対の凹凸部が互いに噛み合うような形態で構成されている。凸部２１ａ、凸部２１ｃ、凸部２２ｂおよび凸部２２ｄは、それぞれと噛み合う凹部に向かって細く窄まる台形の形状を有する。このため、上金型２１と下金型２２との型締めおよび型開きをスムーズに行うことができる。飲料容器用ホルダー１の第一側壁４，５および第二側壁７は、このような上金型２１および下金型２２の凹凸によって形成される。上方第一側壁４の断面Ｓ１、第二側壁７の断面Ｓ２、下方第一側壁５と載置部８の断面Ｓ３は、それぞれ、凹部２１ｂと凸部２２ｂとの隙間、凹部２２ｃと凸部２１ｃとの隙間、および凹部２２ｄと凸部２１ｄとの隙間により形成される断面である。
【００２８】
金型２０を用いることにより、上金型２１と下金型２２との間に樹脂を供給して硬化することにより、図１に示す飲料容器用ホルダー１を一体成形することが可能である。取っ手を有する従来のホルダー（例えば、図１０に示すホルダー７０）を一体成形しようとすれば、取っ手を縦分割するように２つの金型を用意し、さらに、ホルダーの内部を形成するための１つの金型を用意する必要がある。これに対し、この実施形態に係る飲料容器用ホルダー１を一体成形する場合には、上述のように、上金型２１および下金型２２という２つの金型だけで一体成形できる。したがって、金型の数を従来の３つから１つ少なくできる点で、従来の成形よりも有利である。
【００２９】
以上、本発明の好適な実施形態について説明したが、本発明は、上述の実施形態に限定されることなく、種々変形実施可能である。
【００３０】
例えば、本発明の飲料容器用ホルダーは、図７に示す形態を有するものであっても良い。図７（Ａ）に示す飲料容器用ホルダー３０は、載置部３１と、取っ手３２とを備える他、第一側壁として、上方第一側壁３４と下方第一側壁３５とを取っ手３２から見て右側の側壁として備える。上方第一側壁３４と下方第一側壁３５とは、空間３６を隔てて配置されている。また、飲料容器用ホルダー３０は、第二側壁として、上方第二側壁３７と、下方第二側壁３８とを、取っ手３２から見て左側の側壁として備える。上方第二側壁３７と下方第二側壁３８とは、空間３９を隔てて配置されている。第一側壁３４，３５は、第二側壁３７，３８と高さ方向において重ならない位置に配置されている。具体的には、第二側壁３７，３８は、取っ手３２側から見て、空間３６と対向するように配置されている。
【００３１】
上記構造を持つ飲料容器用ホルダー３０は、第一側壁３４，３５を、第二側壁３７，３８と高さ方向において重ならない位置に配置しているため、前述の実施形態に係る飲料容器用ホルダー１と同様、図４に示すように側面方向に複数個を重ねて収納可能である。上方第一側壁３４、下方第一側壁３５、上方第二側壁３７および下方第二側壁３８は、各長さ方向において略同一幅を持つ側壁である点で、取っ手２側から見て共に略台形の形状を有する上方第一側壁４、下方第一側壁５および第二側壁７を備えた飲料容器用ホルダー１とは異なる。しかし、保持した飲料容器の中心からその径方向外側に向けて同一幅で形成されていれば、飲料容器用ホルダー１の成形と比較して上金型２１と下金型２２の型締めおよび型開きが多少難しくなるものの、図６に示すような方法にて一体成形可能である。また、一体成形を行わずに、各パーツを成形後、それらを組み立てるような製造方法を用いる場合には、上方第一側壁３４、下方第一側壁３５、上方第二側壁３７および下方第二側壁３８は、取っ手３２から見て長方形ではなく、飲料容器の中心からその径方向外側に幅広になる台形の形状であっても良い。また、飲料容器用ホルダー３０は、２つの第一側壁３４，３５と、２つの第二側壁３７，３８とを備えているが、第一側壁および第二側壁の各数は、２つに限定されず、１つ若しくは３つ以上であっても良い。
【００３２】
また、本発明の飲料容器用ホルダーは、図７（Ｂ）に示す形態の飲料容器用ホルダー４０であっても良い。飲料容器用ホルダー４０は、載置部４１と、取っ手４２とを備える他、第一側壁４５を取っ手４２から見て右側の側壁として、第二側壁４７を取っ手４２から見て左側の側壁として、それぞれ備える。第一側壁４５は、第二側壁４７と高さ方向において重ならない位置に配置されている。また、第一側壁４５および第二側壁４７は、略台形の形状を有し、取っ手４２から見て、斜辺の水平方向に対する角度が略等しい形状である。各斜辺を、取っ手４２から見て一本の斜めのラインを形成するように、第一側壁４５および第二側壁４７の両形状を設計することもできる。ただし、載置部４１同士を上下に重ねるように、複数個の飲料容器用ホルダー４０を側面方向に重ねる場合には、取っ手４２から見たときの第一側壁４５の斜辺と第二側壁４７の斜辺とは、上下方向に隙間を有するようにすると、載置部４１同士を重ねるだけの隙間を確保できる点で、なお好ましい。
【００３３】
第一側壁４，５，３４，３５，４５（第一側壁４，５等と称する）あるいは第二側壁７，３７，３８，４７（第二側壁７等と称する）は、弧状に湾曲した形状を持つ側壁とせずに、平面部位を持つ側壁であっても良い。また、第一側壁４，５等あるいは第二側壁７等のいずれか１つの側壁の内面にリブを設け、飲料容器１０の滑り止め機能を付与しても良い。第一側壁４，５等と第二側壁７等で囲まれた領域は、円柱領域とするのが好ましいが、円柱領域に限定されず、飲料容器１０の形状に合わせて、例えば、多角形の底面を持つ多角柱形状の領域としても良い。また、接続板３は、平板ではなく、飲料容器１０の側面にフィットする弧状の板であっても良い。
【産業上の利用可能性】
【００３４】
本発明は、飲料容器を保持した状態で飲料を飲むのに利用できる。
【符号の説明】
【００３５】
１    飲料容器用ホルダー
２    取っ手
３    接続板（側壁の一構成部）
４    上方第一側壁（第一側壁の一例、側壁の一構成部）
５    下方第一側壁（第一側壁の一例、側壁の一構成部）
７    第二側壁
８    載置部
１０  飲料容器
３０  飲料容器用ホルダー
３１  載置部
３２  取っ手
３４  上方第一側壁（第一側壁の一例、側壁の一構成部）
３５  下方第一側壁（第一側壁の一例、側壁の一構成部）
３７  上方第二側壁（第二側壁の一例、側壁の一構成部）
３８  下方第二側壁（第二側壁の一例、側壁の一構成部）
４０  飲料容器用ホルダー
４１  載置部
４２  取っ手
４５  第一側壁（側壁の一構成部）
４７  第二側壁（側壁の一構成部）
Ｃ    中心軸
α１、α２  中心角
【図１】
2014181040.tif 000003
【図２】
2014181040.tif 000004
【図３】
2014181040.tif 000005
【図４】
2014181040.tif 000006
【図５】
2014181040.tif 000007
【図６】
2014181040.tif 000008
【図７】
2014181040.tif 000009
【図８】
2014181040.tif 000010
【図９】
2014181040.tif 000011
【図１０】
2014181040.tif 000012